(57)【要約】【課題】構造が簡単で、壁面を有効に利用して掛け吊すことができる懸垂吊り装置を提供する。【解決手段】吊り帯とハンガーからなる。吊り帯は編製又は織製で、複数の引っ掛け孔を有する。ハンガーの両端のフックの一つを吊り帯の引っ掛け孔に引っ掛けることができる。もう一端のフックは壁板などに引っ掛けることができる。【効果】吊り帯が懸垂状態になるので、吊り帯のほかの引っ掛け孔にフックを有する容器を掛け吊すという用途に提供することができる。【選択図】      図４
0003107543.tif 000002
【実用新案登録請求の範囲】
【請求項１】
複数の引っ掛け孔を有する吊り帯と、両端にフックを有するハンガーとからなり、前記ハンガーの一つのフックは前記吊り帯の一つの引っ掛け孔に引っ掛けることができ、他のフックは壁板などに引っ掛けることができることを特徴とする懸垂吊り装置。
【請求項２】
請求項１記載の懸垂吊り装置において、吊り帯は直線状材料から編製又は織製されたものであることを特徴とする懸垂吊り装置。
【請求項３】
請求項１又は２記載の懸垂吊り装置において、吊り帯は両側の縦方向帯の間に複数の横方向帯を設けて、縦方向帯と横方向帯との間に複数の引っ掛け孔が形成されていることを特徴とする懸垂吊り装置。
【請求項４】
請求項１、２又は３記載の懸垂吊り装置において、ハンガーはＳ字形に形成されていることを特徴とする懸垂吊り装置。
【考案の詳細な説明】
【技術分野】
【０００１】
本考案は、物を入れて置く袋や容器などを吊り下げるための懸垂吊り装置に関する。
【背景技術】
【０００２】
一般的に、日常生活において物品収納用の容器の種類は多い。また、大多数の中産階級家庭の居住空間はあまり広くない。空間利用効率を高めるために、壁又は間仕切りなどに掛け吊りするための袋や容器が設計されており、家庭生活用の本、雑誌、その他の小物をその中に収納して、空間の有効利用を図っている。一般の吊り掛けタイプの袋の構造は、主として粗大かつ強靱な帆布を表面材として用い、その表面材に複数の小さい袋を縫い合わせている。それら小さい袋が品物を放置する空間を提供し、表面材の上端に複数のハンガーを設置している。そして、そのハンガーにより壁板や間仕切りなどの上端に引っ掛けている。このような既存の吊り掛けタイプの置物袋は通常、実際のニーズに応じて、応接間又は居間の壁板などの上端に掛けられ、手紙、領収書など小さい書類を放置し、又は更衣室の後に掛けられ、あるいは化粧用品や洗濯品や脱いだ着物などを置く。
【特許文献１】特になし。
【考案の開示】
【考案が解決しようとする課題】
【０００３】
しかし、上記既知の吊り掛けタイプの置物袋は、使う場合に直接に壁板などに掛けることしかできない。そのため、吊り掛ける置物袋又は他の容器の数量には限りがあるので、空間を十分利用することが出来ない。よって、本考案は上記吊り掛けタイプの置物袋の掛け吊り可能数量が制限されるという問題を解決しようとするものである。
【課題を解決するための手段】
【０００４】
上記課題を解決するため、本考案は、複数の引っ掛け孔を有する吊り帯と、両端にフックを有するハンガーとから懸垂吊り装置を構成し、前記ハンガーの一つのフックは前記吊り帯の一つの引っ掛け孔に引っ掛けることができ、他のフックは壁板などに引っ掛けることができるようにしたことを特徴としている。
【０００５】
上記懸垂吊り装置において、吊り帯は線状材料から編製又は織製されたものであることが望ましい。
【０００６】
また、上記懸垂吊り装置において、吊り帯は両側の縦方向帯の間に複数の横方向帯を設けて、縦方向帯と横方向帯との間に複数の引っ掛け孔が形成されていることが望ましい。  
【０００７】
さらに、上記懸垂吊り装置において、ハンガーはＳ字形に形成されていることが望ましい。
【考案の効果】
【０００８】
懸垂吊り装置は吊り帯とハンガーからなるので、構成が簡単であり、取り扱い及び管理に便利である。また、吊り帯の端部の引っ掛け孔にハンガーを引っ掛け、そのハンガーを壁板等に掛けて吊すことができる。そして、別のハンガーを用いて置物袋や容器を、又はフックを有する置物袋や容器を、吊り帯に垂直に掛け吊すことができる。壁板の面積を利用して、多くの置物袋を掛けることができる。
【０００９】
吊り帯を線材料で編製し、又は織製した場合は、装飾効果を発揮するので、室内の壁板などに掛け吊すのに適している。
【００１０】
吊り帯は両側の縦方向帯の間に複数の横方向帯を設けて、縦方向帯と横方向帯との間に複数の引っ掛け孔が形成されている場合は、室内装飾効果がさらに向上し、任意の位置に物置袋や容器を掛け吊すことができる。
【００１１】
ハンガーをＳ字形に形成した場合は、一つのハンガーでその向きを確認する手間を掛けずに容易に吊り帯を壁板などに吊り下げることができ、また、そのハンガーを物置袋などの掛け吊りにもちいることができる。
【００１２】
複数の懸垂吊り装置を横方向に壁に取り付けると、ハンガーを有する置物袋又は容器を横方向のエリアに沿って掛け吊すことができる。
【考案を実施するための最良の形態】
【００１３】
次に、本考案の実施の形態について図面に基づいて説明する。
図１は本考案の構成要素の斜視図、図２はこの構成要素を用いて壁板に掛け吊した状態を示す斜視図、図３は懸垂吊り装置に容器の１種を吊り下げる直前の状態を示す斜視図、図４は掛け吊される他の容器の種類を示す斜視図、図５は懸垂吊り装置の他の形態及び他の容器の例を示す斜視図、図６は懸垂吊り装置の他の利用形態を示す斜視図である。
【００１４】
本考案による懸垂吊り装置は、図１に示すように、吊り帯１とハンガー２とから構成されている。吊り帯１は糸、紐、組み紐あるいはワイヤーなどを編製又は織製して作られて、長手方向に複数の引っ掛け孔１３を有している。
ハンガー２は、角形Ｓ字形に成形されて、その両端にフック２１を有する。その一端のフックは図２に示すように吊り帯１の一つ引っ掛け孔１３に引っ掛けるためのものであり、もう一端のフックは図２に示すように壁板又は他の板３に引っ掛けるためのものである。
【００１５】
従って、吊り帯１はハンガー２により図２に示すように壁板などに懸垂吊りの状態に保持することができるので、この懸垂吊り装置は、吊り帯の他の引っ掛け孔にフックを有する容器を引っ掛けて吊す用途を提供することができる。
吊り帯１は、図６に例示するように、横長状態に取り付けることも出来る。しかも、置物袋を横方向に並べて掛けることができる。ゆえに、置物袋の掛け吊りの範囲を拡大して、壁面空間を十分に利用することができる。
【００１６】
さらに詳しく説明すると、本考案による懸垂吊り装置は、少なくとも、一本の吊り帯１、少なくとも一つのハンガー２を含む。理想的な実施例では、吊り帯１は紡織品又はほかの直線状材料から編織する方式でつくられる。それで、吊り帯１は両側の縦方向帯１１の間に複数の横方向帯１２を有する。吊り帯１は、大きな重量に耐え得る強度を備えるため、理想的な実施例では、複数の横方向帯１２を近づけて設けることにより横方向帯グループを形成している。また、二本の縦方向帯１１の間に複数の横方向帯グループを設けてある。長手方向に隣接する２セットの横方向帯グループの間に、引っ掛け孔１３が形成される。
【００１７】
理想的な実施例では、ハンガー２に十分剛性及び強靭性の材料（例えば金属ロッド又は金属板）を採用している。
【００１８】
本考案の懸垂吊り装置を使用するときは、図２に例示するように、二つハンガー２の一端におけるフック２１を吊り帯１の上下端における引っ掛け孔１３に通過する。それから、二つハンガー２のもう一端をそれぞれ壁板など３の上下端に引っ掛ける。これにより、吊り帯１１を壁板など３に取り付けることができ、吊り帯１は垂直状態となる。その状態のときに、図３、図４に示すように、袋又は容器４１を備えた置物台４の上端のフック４２を吊り帯１の一つの引っ掛け孔１３に掛ける。その結果、置物台４を壁板など３の制限されたエリアに、袋を垂直に配設して、収納空間を拡大することができる。
本考案の懸垂吊り装置は、図５に示すように、吊りり帯１を単独で、その引っ掛け孔１３に掛けたハンガー２を箪笥などの吊ロッドや他のロッド５に掛けても良い。小型の独立の置物袋又は置物容器４を吊り帯１の引っ掛け孔１３に掛けることができる。
【００１９】
また、本考案の他の実施の形態として、ハンガーを使用しないこともできる。そのときは、図６に示すように、直接に吊り帯１の両端を釘やねじなどで壁６にセットする。吊り帯１は、図６に示すように、壁に横長の状態に固定することもできる。この状態ならば、置物袋又は置物容器を横方向に沿ってかけることが出来る。
【図面の簡単な説明】
【００２０】
【図１】本考案の懸垂吊り装置の構成要素である吊り帯及びハンガーを示す斜視図。
【図２】本考案の懸垂吊り装置を壁板などに取り付けた状態を示す斜視図。
【図３】図２の懸垂吊り装置に容器を吊り掛ける一態様を示す斜視図。
【図４】図２の懸垂吊り装置に容器を吊り掛ける他の態様を示す斜視図。
【図５】本考案の懸垂吊り装置の他の使用態様を示す斜視図。
【図６】本考案の懸垂吊り装置のさらに他の使用態様を示す斜視図。
【符号の説明】
【００２１】
１        吊り帯
１３      引っ掛け孔
２、４２  ハンガー
２１      フック
３        壁板
４        置物袋台
【図１】
0003107543.tif 000003
【図２】
0003107543.tif 000004
【図３】
0003107543.tif 000005
【図４】
0003107543.tif 000006
【図５】
0003107543.tif 000007
【図６】
0003107543.tif 000008